(57)【要約】      （修正有）【課題】外層袋に対して内層カードを出し入れするだけで表示を切り替えることができ、かつ内層カードの出し入れ操作を容易に行うことができる動画カードおよび動画カード付き袋を提供する。【解決手段】動画カード１は内層カード１０と外層袋２０とを備え、外層袋２０の外層カード２０ＡにはＶ字状の外層切り欠きが設けられ、この外層切り欠きにより外層切り欠き片が形成されている。内層カード１０には、外層切り欠きと逆向きのＶ字状内層切り欠き１１が設けられ、この内層切り欠き１１により内層切り欠き片１２が形成されている。内層切り欠き片１２が対応する外層切り欠き内に挿入され外層切り欠き片上に重なり合う。外層袋２０から内層カード１０を出し入れすることにより、外層カード２０Ａの表示と内層カード１０の表示が切り替わる。【選択図】図４
0003219400.tif 000002
【実用新案登録請求の範囲】
【請求項１】
内層カードと、
前記内層カードを出し入れ可能に収納するとともに、外層カードを含む外層袋とを備え、
前記外層カードに連続するＶ字状の複数の外層切り欠きを設けて複数の外層切り欠き片を形成し、
前記内層カードに、前記複数の外層切り欠きと逆向きの連続するＶ字状の複数の内層切り欠きを設けて複数の内層切り欠き片を形成し、
各内層切り欠き片が対応する外層切り欠き内に挿入されて、前記内層切り欠き片が前記外層切り欠き片上に重なり合い、前記外層カードの前記複数の外層切り欠き片上、および前記内層カードの前記複数の内層切り欠き片上に各々異なる表示を施し、
前記外層袋に対して前記内層カードを出し入れ操作することにより、前記外層カードの表示と前記内層カードの表示が入れ替わる、動画カード。
【請求項２】
内層カードと、
前記内層カードを出し入れ可能に収納するとともに、外層カードを含む外層袋とを備え、
前記外層カードは、各々が互いに離間する切り欠き片部分を形成する連続するＶ字状の複数の切り欠き縁を含む、少なくとも２層の外層カード部分を備え、
前記外層カード部分の前記切り欠き片部分は、互いに重ね合わされて、外層切り欠きにより区画された複数の外層切り欠き片を形成し、
前記内層カードに、前記複数の外層切り欠きと逆向きの連続するＵ字状の複数の内層切り欠きを設けて複数の内層切り欠き片を形成し、
各内層切り欠き片が対応する外層切り欠き内に挿入されて、前記内層切り欠き片が前記外層切り欠き片上に重なり合い、前記外層カードの前記複数の外層切り欠き片上、および前記内層カードの前記複数の内層切り欠き片上に各々異なる表示を施し、
前記外層袋に対して前記内層カードを出し入れ操作することにより、前記外層カードの表示と前記内層カードの表示が入れ替わる、動画カード。
【請求項３】
前記２層の外層カード部分の互いに離間する各切り欠き片部分は、内側方切り欠き縁と外側切り欠き縁からなり、一方の外層カード部分の内側切り欠き縁が他方の外層カード部分の外側切り欠き縁下方に入り込み、他方の外層カード部分の内側切り欠き縁が一方の外層カード部分の外側切り欠き縁下方に入り込み、一方の外層カード部分および他方の外層カード部分の外側切り欠き縁により、前記外層切り欠き片を区画する前記外層切り欠きを構成する、請求項２記載の動画カード。
【請求項４】
前記内層カードの前記内層切り欠き片は、前記内層カードの挿入方向に向って凸となるＶ字状をもつ、請求項１乃至３のいずれか記載の動画カード。
【請求項５】
前記内層カードにストッパを設け、前記外層袋に前記ストッパに係合する係合部を設けて、前記内層カードを前記外層袋から引き抜くことを防止する、請求項４記載の動画カード。
【請求項６】
前記内層カードの前記内層切り欠き片は、前記内層カードの引き出し方向に向って凸となるＶ字状をもつ、請求項１乃至３のいずれか記載の動画カード。
【請求項７】
前記内層カードの端部が前記外層袋の端部に当接して、前記外層カードに対する前記内層カードの挿入位置が定まる、請求項６記載の動画カード。
【請求項８】
内層カードと、
前記内層カードを出し入れ可能に収納するとともに、外層カードを含む外層袋とを備え、
前記外層カードに連続するＶ字状の複数の外層切り欠きを設けて複数の外層切り欠き片を形成し、
前記内層カードに、前記複数の外層切り欠きと逆向きの連続するＶ字状の複数の内層切り欠きを設けて複数の内層切り欠き片を形成し、
各内層切り欠き片が対応する外層切り欠き内に挿入されて、前記内層切り欠き片が前記外層切り欠き片上に重なり合い、前記外層カードの前記複数の外層切り欠き片上、および前記内層カードの前記複数の内層切り欠き片上に各々異なる表示を施し、
前記外層袋に対して前記内層カードを出し入れ操作することにより、前記外層カードの表示と前記内層カードの表示が入れ替わる、動画カード付き袋。
【請求項９】
内層カードと、
前記内層カードを出し入れ可能に収納するとともに、外層カードを含む外層袋とを備え、
前記外層カードは、各々が互いに離間する切り欠き片部分を形成する連続するＶ字状の複数の切り欠き縁を含む、少なくとも２層の外層カード部分を備え、
前記外層カード部分の前記切り欠き片部分は、互いに重ね合わされて、外層切り欠きにより区画された複数の外層切り欠き片を形成し、
前記内層カードに、前記複数の外層切り欠きと逆向きの連続するＵ字状の複数の内層切り欠きを設けて複数の内層切り欠き片を形成し、
各内層切り欠き片が対応する外層切り欠き内に挿入されて、前記内層切り欠き片が前記外層切り欠き片上に重なり合い、前記外層カードの前記複数の外層切り欠き片上、および前記内層カードの前記複数の内層切り欠き片上に各々異なる表示を施し、
前記外層袋に対して前記内層カードを出し入れ操作することにより、前記外層カードの表示と前記内層カードの表示が入れ替わる、動画カード付き袋。
【請求項１０】
前記２層の外層カード部分の互いに離間する各切り欠き片部分は、内側方切り欠き縁と外側切り欠き縁からなり、一方の外層カード部分の内側切り欠き縁が他方の外層カード部分の外側切り欠き縁下方に入り込み、他方の外層カード部分の内側切り欠き縁が一方の外層カード部分の外側切り欠き縁下方に入り込み、一方の外層カード部分および他方の外層カード部分の外側切り欠き縁により、前記外層切り欠き片を区画する前記外層切り欠きを構成する、請求項９記載の動画カード付き袋。
【請求項１１】
前記内層カードの前記内層切り欠き片は、前記内層カードの挿入方向に向って凸となるＶ字状をもつ、請求項８乃至１０のいずれか記載の動画カード付き袋。
【請求項１２】
前記内層カードにストッパを設け、前記外層袋に前記ストッパに係合する係合部を設けて、前記内層カードを前記外層袋から引き抜くことを防止する、請求項１１記載の動画カード付き袋。
【請求項１３】
前記内層カードの前記内層切り欠き片は、前記内層カードの引き出し方向に向って凸となるＶ字状をもつ、請求項８乃至１０のいずれか記載の動画カード付き袋。
【請求項１４】
前記内層カードの端部が前記外層袋の端部に当接して、前記外層カードに対する前記内層カードの挿入位置が定まる、請求項１３記載の動画カード付き袋。
【考案の詳細な説明】
【技術分野】
【０００１】
本考案は動画カードおよび動画カード付き袋に係り、特に各種メッセージカード、ポストカード、絵馬など、広範囲の適用を可能とする動画カードおよび動画カード付き袋に関する。
【背景技術】
【０００２】
従来から、主として子供用の玩具や騙し絵的な遊具として、厚紙等の用紙に矩形状に複数の切抜きを施して切抜き片を形成した複数枚のシートを設け、これらシートの各切抜き片を切抜き跡の切抜き窓から差し込んで重ね合わせる可動絵画が知られている。この可動動画において、複数のシートのうち固定シートの表面を覆う表紙の基部に可動シートの端部を継ぎ片により継ぎ、この表紙を開けると継ぎ片が引かれて可動シートが引き出され、各シートの切抜き片に描かれた絵や文字が入れ替って表示される（特許文献１、２、３参照）。
【０００３】
上記特許文献に記載の従来品は、表紙をめくって開ける操作を行うことにより可動シートが移動して別の絵に替る構造となっており、表紙を開けて行く過程で絵が替る動画的効果により楽しむものである。このため、表紙が閉じられているときは絵が見えず、したがって表紙を開いて行く途中段階の変化のすべてを見ることが難しく、そのため使用目的が限られてしまうという難点がある。
【先行技術文献】
【特許文献】
【０００４】
【特許文献１】特公昭５１−４０４８８号公報
【特許文献２】実公昭５１−１７９９５号公報
【特許文献３】実公昭５５−６６３８号公報
【考案の開示】
【考案が解決しようとする課題】
【０００５】
本考案は、このような点を考慮してなされたものであり、可動カードの直線的な出し入れ操作によって絵や文字の切替え状況のすべてを見せることができ、かつ構造が簡単で可動カードの出し入れ操作を簡便にすることができる動画カードおよび動画カード付き袋を提供することを目的とする。
【課題を解決するための手段】
【０００６】
本考案は、内層カードと、前記内層カードを出し入れ可能に収納するとともに、外層カードを含む外層袋とを備え、前記外層カードに連続するＶ字状の複数の外層切り欠きを設けて複数の外層切り欠き片を形成し、前記内層カードに、前記複数の外層切り欠きと逆向きの連続するＶ字状の複数の内層切り欠きを設けて複数の内層切り欠き片を形成し、各内層切り欠き片が対応する外層切り欠き内に挿入されて、前記内層切り欠き片が前記外層切り欠き片上に重なり合い、前記外層カードの前記複数の外層切り欠き片上、および前記内層カードの前記複数の内層切り欠き片上に各々異なる表示を施し、前記外層袋に対して前記内層カードを出し入れ操作することにより、前記外層カードの表示と前記内層カードの表示が入れ替わる、動画カードである。
【０００７】
本考案は、内層カードと、前記内層カードを出し入れ可能に収納するとともに、外層カードを含む外層袋とを備え、前記外層カードは、各々が互いに離間する切り欠き片部分を形成する連続するＶ字状の複数の切り欠き縁を含む、少なくとも２層の外層カード部分を備え、前記外層カード部分の前記切り欠き片部分は、互いに重ね合わされて、外層切り欠きにより区画された複数の外層切り欠き片を形成し、前記内層カードに、前記複数の外層切り欠きと逆向きの連続するＵ字状の複数の内層切り欠きを設けて複数の内層切り欠き片を形成し、各内層切り欠き片が対応する外層切り欠き内に挿入されて、前記内層切り欠き片が前記外層切り欠き片上に重なり合い、前記外層カードの前記複数の外層切り欠き片上、および前記内層カードの前記複数の内層切り欠き片上に各々異なる表示を施し、前記外層袋に対して前記内層カードを出し入れ操作することにより、前記外層カードの表示と前記内層カードの表示が入れ替わる、動画カードである。
【０００８】
本考案は、前記２層の外層カード部分の互いに離間する各切り欠き片部分は、内側方切り欠き縁と外側切り欠き縁からなり、一方の外層カード部分の内側切り欠き縁が他方の外層カード部分の外側切り欠き縁下方に入り込み、他方の外層カード部分の内側切り欠き縁が一方の外層カード部分の外側切り欠き縁下方に入り込み、一方の外層カード部分および他方の外層カード部分の外側切り欠き縁により、前記外層切り欠き片を区画する前記外層切り欠きを構成する、動画カードである。
【０００９】
本考案は、前記内層カードの前記内層切り欠き片は、前記内層カードの挿入方向に向って凸となるＶ字状をもつ、動画カードである。
【００１０】
本考案は、前記内層カードにストッパを設け、前記外層袋に前記ストッパに係合する係合部を設けて、前記内層カードを前記外層袋から引き抜くことを防止する、動画カードである。
【００１１】
本考案は、前記内層カードの前記内層切り欠き片は、前記内層カードの引き出し方向に向って凸となるＶ字状をもつ、動画カードである。
【００１２】
本考案は、前記内層カードの端部が前記外層袋の端部に当接して、前記外層カードに対する前記内層カードの挿入位置が定まる、動画カードである。
【００１３】
本考案は、内層カードと、前記内層カードを出し入れ可能に収納するとともに、外層カードを含む外層袋とを備え、前記外層カードに連続するＶ字状の複数の外層切り欠きを設けて複数の外層切り欠き片を形成し、前記内層カードに、前記複数の外層切り欠きと逆向きの連続するＶ字状の複数の内層切り欠きを設けて複数の内層切り欠き片を形成し、各内層切り欠き片が対応する外層切り欠き内に挿入されて、前記内層切り欠き片が前記外層切り欠き片上に重なり合い、前記外層カードの前記複数の外層切り欠き片上、および前記内層カードの前記複数の内層切り欠き片上に各々異なる表示を施し、前記外層袋に対して前記内層カードを出し入れ操作することにより、前記外層カードの表示と前記内層カードの表示が入れ替わる、動画カード付き袋である。
【００１４】
本考案は、内層カードと、前記内層カードを出し入れ可能に収納するとともに、外層カードを含む外層袋とを備え、前記外層カードは、各々が互いに離間する切り欠き片部分を形成する連続するＶ字状の複数の切り欠き縁を含む、少なくとも２層の外層カード部分を備え、前記外層カード部分の前記切り欠き片部分は、互いに重ね合わされて、外層切り欠きにより区画された複数の外層切り欠き片を形成し、前記内層カードに、前記複数の外層切り欠きと逆向きの連続するＵ字状の複数の内層切り欠きを設けて複数の内層切り欠き片を形成し、各内層切り欠き片が対応する外層切り欠き内に挿入されて、前記内層切り欠き片が前記外層切り欠き片上に重なり合い、前記外層カードの前記複数の外層切り欠き片上、および前記内層カードの前記複数の内層切り欠き片上に各々異なる表示を施し、前記外層袋に対して前記内層カードを出し入れ操作することにより、前記外層カードの表示と前記内層カードの表示が入れ替わる、動画カード付き袋である。
【００１５】
本考案は、前記２層の外層カード部分の互いに離間する各切り欠き片部分は、内側方切り欠き縁と外側切り欠き縁からなり、一方の外層カード部分の内側切り欠き縁が他方の外層カード部分の外側切り欠き縁下方に入り込み、他方の外層カード部分の内側切り欠き縁が一方の外層カード部分の外側切り欠き縁下方に入り込み、一方の外層カード部分および他方の外層カード部分の外側切り欠き縁により、前記外層切り欠き片を区画する前記外層切り欠きを構成する、動画カード付き袋である。
【００１６】
本考案は、前記内層カードの前記内層切り欠き片は、前記内層カードの挿入方向に向って凸となるＶ字状をもつ、動画カード付き袋である。
【００１７】
本考案は、前記内層カードにストッパを設け、前記外層袋に前記ストッパに係合する係合部を設けて、前記内層カードを前記外層袋から引き抜くことを防止する、動画カード付き袋である。
【００１８】
本考案は、前記内層カードの前記内層切り欠き片は、前記内層カードの引き出し方向に向って凸となるＶ字状をもつ、動画カード付き袋である。
【００１９】
本考案は、前記内層カードの端部が前記外層袋の端部に当接して、前記外層カードに対する前記内層カードの挿入位置が定まる、動画カード付き袋である。
【考案の効果】
【００２０】
本考案によれば、内層カードの直接的な出し入れ操作により絵や文字等の表示を切り替えることができ、かつ内層カードの出し入れ操作を容易に行うことができる。
【図面の簡単な説明】
【００２１】
【図１】図１は第１の実施の形態による動画カードの外層袋を示す展開図。
【図２】図２は第１の実施の形態による動画カードの内層カードを示す平面図。
【図３】図３は第１の実施の形態による動画カードの出し入れ作用を示す平面図。
【図４】図４は第１の実施の形態による動画カードの出し入れ作用を示す平面図。
【図５】図５は第２の実施の形態による動画カードの外層袋を示す展開図。
【図６】図６は第２の実施の形態による動画カードの内層カードを示す平面図。
【図７】図７は第２の実施の形態による動画カードの出し入れ作用を示す平面図。
【図８】図８は第２の実施の形態による動画カードの出し入れ作用を示す平面図。
【考案を実施するための形態】
【００２２】
＜第１の実施の形態＞
以下、図面を参照して本考案の第１の実施の形態について述べる。  
ここで図１は動画カードの外層袋を示す展開図、図２は動画カードの内層カードを示す平面図、図３および図４は動画カードの出し入れ操作を示す図である。
【００２３】
まず図３および図４により、動画カードの概略を述べる。
【００２４】
動画カード１は単層カードからなる紙製の内層カード１０と、この内層カードを出し入れ可能に収納する紙製の外層袋２０とを備えている。
【００２５】
このうち、外層袋２０はその表面側に位置する外層カード２０Ａを含み、この外層カード２０Ａに挿入方向内側（図３の左側）へ突出する連続したＶ字状の複数の外層切り欠き２１が設けられ、この外層切り欠き２１により複数の外層切り欠き片２２が形成されている。
【００２６】
また内層カード１０には、外層カード２０Ａの複数の外層切り欠き２１と逆向きに連続したＶ字状の複数の内層切り欠き１１が設けられ、この内層切り欠き１１により複数の内層切り欠き片１２が形成されている。
【００２７】
そして各内層切り欠き片１２が対応する外層切り欠き２１内に挿入されて、各内層切り欠き片１２が対応する外層切り欠き片２２上方に重なり合うようになっている。
【００２８】
そして外層カード２０Ａの複数の外層切り欠き片２２上に、文字、図形等からなる、例えば「朝顔のつぼみ」の表示Ａが設けられ、内層カード１０の複数の内層切り欠き片１２上に、文字図形等からなる、例えば「開花した朝顔」の表示Ｂが設けられている。
【００２９】
上述のように、内層カード１０は外層袋２０内に出し入れ可能に収納されており、内層カード１０を外層袋２０内に出し入れ操作をすることにより、外層カード２０Ａの表示Ａと内層カード１０の表示Ｂとが互いに入れ替わるようになっている。
【００３０】
また図２および図３乃至図４に示すように、内層カード１０の内側端部（挿入方向内側端部）１３は、内層カード１０を外層袋２０内に開口３０ａから挿入した際、外層袋２０の内側端部３０ｂに当接して、外層袋２０内において内層カード１０の挿入位置を定める。
【００３１】
なお、図２に示す内層カード１０は摘み部１４を有し、この摘み部１４を把持して内層カード１０を外層袋２０から引き抜くことができる。
【００３２】
次に図１および図３乃至図４により、外層袋２０について述べる。図１に示すように、外層袋２０はＬ形状の紙製基板２０Ｂからなる。この紙製基板２０Ｂは、折り曲げ線２８により区画された４板の分割基板２０ａ、２０ｂ、２０ｃ、２０ｄからなる。このうち、基板２０ａは外層袋２０の表面側の上層基板２０ａであり、基板２０ｃは外層袋２０の裏面側の下層基板２０ｃであり、基板２０ｂは上層基板２０ａと下層基板２０ｃとの間に介在される中間層基板２０ｂである。また下層基板２０ｃはカバー層基板２０ｄにより覆われる。
【００３３】
また上層基板２０ａ、中間層基板２０ｂ、下層基板２０ｃおよびカバー層基板２０ｄには、これらの挿入方向外側端部に内層カード１０の摘み部１４を露出させて摘み部１４を把持し易くするための把持用切り欠き２５が設けられている。
【００３４】
本明細書において、「内側」あるいは「外側」とは外層袋２０内に内層カード１０を挿入する場合の「前方側」あるいは「後方側」を意味する（図３および図４参照）。
【００３５】
次に図１により外層袋２０について更に述べる。外層袋２０を構成する上層基板２０ａには、各々が互いに開口部２３ａを介して離間する複数の切り欠き片部分２２ａ、２２ａが設けられている。そして各切り欠き片部分２２ａ、２２ａには、いずれも連続するＶ字状の切り欠き縁２１ａ１、２１ａ２が形成されている。
【００３６】
このうち各切り欠き片部分２２ａの切り欠き縁２１ａ１、２１ａ２において、挿入方向内側（図１の左側）の切り欠き縁２１ａ１の先端角度αの方が挿入方向外側（図１の右側）の切り欠き縁２１ａ２の先端角度βより小さくなっている。
【００３７】
同様に外層袋２０を構成する中間層基板２０ｂには、各々が互いに開口部２３ｂを介して離間する複数の切り欠き片部分２２ｂ、２２ｂが設けられている。そして各切り欠き片部分２２ｂ、２２ｂには、いずれも連続するＶ字状の切り欠き縁２１ｂ１、２１ｂ２が形成されている。
【００３８】
このうち各切り欠き片部分２２ｂの切り欠き縁２１ｂ１、２１ｂ２において、挿入方向内側（図１の左側）の切り欠き縁２１ｂ１の先端角度αの方が挿入方向外側（図１の右側）の切り欠き縁２１ｂ２の先端角度βより小さくなっている。
【００３９】
そして紙製基板２０Ｂを折り曲げ線２８に沿って折り畳んだ後、上層基板２０ａの各切り欠き片部分２２ａの内側の切り欠き縁２１ａ１を中間層基板２０ｂの各切り欠き片部分２２ｂの外側の切り欠き縁２１ｂ２の下方に入り込ませ、中間層基板２０ｂの各切り欠き片部分２２ｂの内側の切り欠き縁２１ｂ１を、上層基板２０ａの各切り欠き片部分２２ａの切り欠き縁２１ａ２の下方に入り込ませる。
【００４０】
このようにして上層基板２０ａと中間層基板２０ｂとにより、上層基板２０ａの各切り欠き片部分２２ａと、中間層基板２０ｂの各切り欠き片部分２２ｂとが一部重ね合わされた外層カード２０Ａを構成する。このとき紙製基板２０Ｂの上層基板２０ａおよび中間層基板２０ｂは、互いに積層されて外層カード２０Ａを構成する外層カード部分となる。
【００４１】
また上層基板２０ａの各切り欠き片部分２２ａと、切り欠き片部分２２ａと一部重ね合わされた中間層基板２０ｂの各切り欠き片部分２２ｂとにより、外層カード２０Ａの外層切り欠き片２２が構成され、各切り欠き片部分２２ａの切り欠き縁２１ａ２と各切り欠き片部分２２ｂの切り欠き縁２１ｂ２により、外層カード２０Ａの外層切り欠き２１が構成される。
【００４２】
また、図１示すように、下層基板２０ｃには開口２７が形成されている。
【００４３】
次にこのような構成からなる本実施の形態の作用について説明する。
【００４４】
まず、上述のように、紙製基板２０Ｂを折り曲げ線２８を介して折り畳むことにより上層基板２０ａと中間層基板２０ｂとからなる外層カード２０Ａをもつ外層袋２０を作製する。
【００４５】
次に、単層カードからなる内層カード１０を作製し、この内層カード１０を外層袋２０内に挿入する（図３参照）。この際、内層カードの内層切り欠き片１２の外側の先端部分１２ａが、外層カード２０Ａのうち上層基板２０ａの内側の切り欠き縁２１ａ１の上方にわずかに重なり、かつ中間層基板２０ｂの内側の切り欠き縁２１ｂ１の上方にわずかに重なるようにする。
【００４６】
このとき、外層カード２０Ａの外層切り欠き片２２上に設けられた表示Ａが外方へ現れている。
【００４７】
次に外層袋２０の把持用切り欠き２５を介して内層カード１０の摘み部１４を把持する。次に外層袋２０から内層カード１０を外層袋２０の開口３０ａから外側へ引き出す（図４参照）。このとき内層カード１０の内層切り欠き片１２の先端部分１２ａが上層基板２０ａの切り欠き縁２１ａ１の上方に重なり、中間層基板２０ｂの切り欠き縁２１ｂ１の上方に重なるため、内層カード１０の内層切り欠き片１２はスムースに外層カード２０Ａの外層切り欠き２１を通って、外層切り欠き片２２上を摺動する。
【００４８】
そして、内層カード１０の内層切り欠き１１と外層カード２０Ａの外層切り欠き２１が幅方向両端で当接して内層カード１０の引き抜き作用が停止する。
【００４９】
このとき、内層カード１０の内層切り欠き片１２上に設けられた表示Ｂが、外層カード２０Ａの外層切り欠き片２２上に設けられた表示Ａと入れ替わる。
【００５０】
このように本実施の形態によれば、外層袋２０の外層カード２０Ａに内側へ向かって突出するＶ字状の外層切り欠き２１を設け、内層カード１０に外側に向かって突出する逆Ｖ字状の内層切り欠き１１を設け、内層切り欠き片１２を外層カード２０Ａの外層切り欠き２１に挿入して内層切り欠き片１２を外層切り欠き片２２上に摺動させる。このとき内層切り欠き片１２と外層切り欠き２１は互いの方向に突出する形状をもつため内層カード１０を外層袋２０から引き抜く際、内層切り欠き片１２をスムースに外層切り欠き２１内に挿入して外層切り欠き片２２上に現すことができる。なお、上記の実施の形態に示す動画カード１内に、冊子状物（図示せず）を挿入してもよく、この場合は動画カード１と冊子状物とにより、動画カード付き袋１Ａが構成される。
【００５１】
＜第２の実施の形態＞
以下、図面を参照して本考案の第２の実施の形態について述べる。  
ここで図５は動画カードの外層袋を示す展開図、図６は動画カードの内層カードを示す平面図、図７および図８は動画カードの出し入れ操作を示す図である。
【００５２】
まず図７および図８により、動画カードの概略を述べる。
【００５３】
動画カード１は単層カードからなる紙製の内層カード１０と、この内層カードを出し入れ可能に収納する紙製の外層袋２０とを備えている。
【００５４】
このうち、外層袋２０はその表面側に位置する外層カード２０Ａを含み、この外層カード２０Ａに挿入方向内側（図７の右側）へ突出する連続したＶ字状の複数の外層切り欠き２１が設けられ、この外層切り欠き２１により複数の外層切り欠き片２２が形成されている。
【００５５】
また内層カード１０には、外層カード２０Ａの複数の外層切り欠き２１と逆向きに挿入方向内側（図８の左側）へ突出する連続したＶ字状の複数の内層切り欠き１１が設けられ、この内層切り欠き１１により複数の内層切り欠き片１２が形成されている。
【００５６】
そして各内層切り欠き片１２が対応する外層切り欠き２１内に挿入されて、各内層切り欠き片１２が対応する外層切り欠き片２２上に重なり合うようになっている。
【００５７】
そして外層カード２０Ａの複数の外層切り欠き片２２上に、文字、図形等からなる、例えば「朝顔のつぼみ」の表示Ａが設けられ、内層カード１０の複数の内層切り欠き片１２上に、文字図形等からなる、例えば「開花した朝顔」の表示Ｂが設けられている。
【００５８】
上述のように、内層カード１０は外層袋２０内に出し入れ可能に収納されており、内層カード１０を外層袋２０内に出し入れ操作をすることにより、外層カード２０Ａの表示Ａと内層カード１０の表示Ａとが互いに入れ替わるようになっている。
【００５９】
また図６および図７乃至図８に示すように、内層カード１０の内側端部（挿入方向内側端部）１３は、内層カード１０を外層袋２０内に開口３０ａから挿入した際、外層袋２０の内側端部３０ｂに当接して、外層袋２０内において内層カード１０の挿入位置を定める。また内層カード１０はその内側端部１３側に、予め折れ曲げられたストッパ１５を有する。
【００６０】
なお、図８に示す内層カード１０は摘み部１４を有し、この摘み部１４を把持して内層カード１０を外層袋２０から引き抜くことができる。
【００６１】
次に図５および図７乃至図８により、外層袋２０について述べる。図５に示すように、外層袋２０は紙製基板２０Ｂからなる。この紙製基板２０Ｂは、折り曲げ線２８により区画された４板の分割基板２０ａ、２０ｅ、２０ｆ、２０ｇからなる。このうち、基板２０ａは外層袋２０の表面側の上層基板２０ａであり、基板２０ｅ、２０ｆは上層基板２０ａに重ね合わされる一対の側板２０ｅ、２０ｆであり、上層基板２０ａは一対の側板２０ｅ、２０ｆを介してカバー層基板２０ｇにより覆われる。
【００６２】
また上層基板２０ａおよびカバー層基板２０ｇには、これらの挿入方向外側端部に内層カード１０の摘み部１４を露出させて摘み部１４を把持し易くするための把持用切り欠き２５が設けられている。
【００６３】
本明細書において、「内側」あるいは「外側」とは外層袋２０内に内層カード１０を挿入する場合の「前方側」あるいは「後方側」を意味する（図７および図８参照）。
【００６４】
次に図５により外層袋２０について更に述べる。外層袋２０を構成する上層基板２０ａには、連続するＶ字状の複数の外層切り欠き２１が設けられ、この外層切り欠き２１により外層切り欠き片２２が形成される。このため上層基板２０ａにより外層カード２０Ａが構成される。
【００６５】
次にこのような構成からなる本実施の形態の作用について説明する。  
まず、上述のように、紙製基板２０Ｂを折り曲げ線２８を介して折り畳むことにより上層基板２０ａからなる外層カード２０Ａをもつ外層袋２０を作製する。
【００６６】
次に、単層カードからなる内層カード１０を作製し、この内層カード１０を外層袋２０内に挿入する（図７参照）。この際、内層カードの内層切り欠き片１２が外層カード２０Ａの外層切り欠き２１内に挿入されて外層切り欠き片２２上に重なり合う。このとき、内層カード１０の内層切り欠き片１２上に設けられた表示Ｂが外方へ現れている。
【００６７】
次に外層袋２０の把持用切り欠き２５を介して内層カード１０の摘み部１４を把持する。次に外層袋２０から内層カード１０を外層袋２０の開口３０ａから外側へ引き出す（図８参照）。このとき内層カード１０の切り欠き片１２は外層切り欠き片２２上を摺動する。
【００６８】
その後内層カード１０に予め折れ曲げられて設置されたストッパ１５が外層袋２０の一対の側板２０ｅ、２０ｆに設けられた係合部３２に係合して内層カード１０の引き抜き作用が停止する。
【００６９】
このとき、外層カード２０Ａの外層切り欠き片２２上に設けられた表示Ａが、内層カード１０の内層切り欠き片１２上に設けられた表示Ｂと入れ替わる。
【００７０】
このとき、内層カード１０の内層切り欠き片１２の先端部分１２ａは、外層カード２０Ａの外層切り欠き２１に設けられた先端部分２１ａ上に重なり合い、この先端部分２１ａ上に保持される。
【００７１】
再度内層カード１０を外層袋２０内に挿入する際、内層切り欠き片１２の先端部分１２ａが外層カード２０の外層切り欠き２１の先端部分２１ａ上に重なり合って保持されているため、内層切り欠き片１２を外層切り欠き片２２上を摺動させながら、内層カード１０をスムースに外層袋２０内に挿入することができる。
【００７２】
その後、内層カード１０の内層切り欠き１１と外層カード２０Ａの外層切り欠き２１が幅方向両端で当接して内層カードの挿入作用が停止する。
【００７３】
以上のように本実施の形態によれば、内層カード１０の内層切り欠き片１２と外層カード２０Ａの外層切り欠き片２２は互いの方向に突出する形状をもつため、内層切り欠き片１２をスムースに外層切り欠き片２２上で摺動させて内層カード１０を外層袋２０内に挿入することができる。なお、上記の実施の形態に示す動画カード１内に、冊子状物（図示せず）を挿入してもよく、この場合は動画カード１と冊子状物とにより、動画カード付き袋１Ａが構成される。
【符号の説明】
【００７４】
１  動画カード
１０  内層カード
１１  内層切り欠き
１２  内層切り欠き片
１５  ストッパ
２０  外層袋
２０Ａ  外層カード
２０Ｂ  紙製基板
２０ａ  上層基板
２０ｂ  中間層基板
２０ｃ  下層基板
２０ｄ  カバー層基板
２０ｅ、２０ｆ  側板
２０ｇ  カバー層基板
２１  外層切り欠き
２１ａ  先端部分
２１ａ１、２１ａ２，２１ｂ１，２１ｂ２  切り欠き縁
２２  外層切り欠き片
２２ａ、２２ｂ  切り欠き片部分
２３ａ、２３ｂ  開口部
２５  把持用切り欠き
３２  係合部
【図１】
0003219400.tif 000003
【図２】
0003219400.tif 000004
【図３】
0003219400.tif 000005
【図４】
0003219400.tif 000006
【図５】
0003219400.tif 000007
【図６】
0003219400.tif 000008
【図７】
0003219400.tif 000009
【図８】
0003219400.tif 000010